【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
複数の部分画像データを継合せて合成画像データを生成する画像処理装置であって、
複数の部分画像データを順次取得する画像取得手段と、
前記複数の部分画像データそれぞれに対する処理の状態を示す状態情報として、前記画像取得手段によるデータの取得が完了したか否かを示す情報を少なくとも含む状態情報を管理する状態管理手段と、
部分画像データの継合せ個所ごとに、継ぎ合わせる部分画像データのあいだの局所的なずれを補正するための補正量を取得する補正量取得手段と、
前記補正量取得手段によって取得された継合せ個所ごとの補正量に基づき前記複数の部分画像データをそれぞれ補正し、補正後の部分画像データを継合せた合成画像データを生成する画像合成手段と、を有し、
前記状態情報は、部分画像データごと又は継合せ個所ごとに、前記補正量取得手段による補正量の取得処理が完了したか否かを示す情報、又は、前記補正量取得手段による補正量の取得処理が実行中であるか否かを示す情報をさらに含み、
前記補正量取得手段は、前記状態情報に基づき、補正量を取得するのに必要なデータの取得が完了した部分画像データ又は継合せ個所から、補正量の取得処理を開始するよう制御される
ことを特徴とする画像処理装置。
【請求項２】
前記補正量取得手段は、互いに独立に動作する複数の補正量取得手段から構成され、
異なる部分画像データ又は異なる継合せ個所に対する処理が、前記複数の補正量取得手段により並列に実行される
ことを特徴とする請求項１に記載の画像処理装置。
【請求項３】
前記複数の補正量取得手段は、前記状態情報に基づき、すでに補正量の取得処理が完了した部分画像データ又は継合せ個所に対し、重複して補正量の取得処理が行われないよう制御される
ことを特徴とする請求項２に記載の画像処理装置。
【請求項４】
前記複数の補正量取得手段は、前記状態情報に基づき、補正量の取得処理が実行中である部分画像データ又は継合せ個所に対し、他の補正量取得手段により重複して補正量の取
得処理が行われないよう制御される
ことを特徴とする請求項２又は３に記載の画像処理装置。
【請求項５】
複数の部分画像データを継合せて合成画像データを生成する画像処理装置であって、
複数の部分画像データを順次取得する画像取得手段と、
前記複数の部分画像データそれぞれに対する処理の状態を示す状態情報として、前記画像取得手段によるデータの取得が完了したか否かを示す情報を少なくとも含む状態情報を管理する状態管理手段と、
部分画像データの継合せ個所ごとに、継ぎ合わせる部分画像データのあいだの局所的なずれを補正するための補正量を取得する補正量取得手段と、
前記補正量取得手段によって取得された継合せ個所ごとの補正量に基づき前記複数の部分画像データをそれぞれ補正し、補正後の部分画像データを継合せた合成画像データを生成する画像合成手段と、
前記補正量取得手段によって取得された複数の継合せ個所の補正量に基づき、前記画像合成手段において前記複数の部分画像データのそれぞれに対し実際に施す補正処理で用いる第２の補正量を決定するグローバル補正量取得手段と、を有し、
前記補正量取得手段は、前記状態情報に基づき、補正量を取得するのに必要なデータの取得が完了した部分画像データ又は継合せ個所から、補正量の取得処理を開始するよう制御される
ことを特徴とする画像処理装置。
【請求項６】
前記状態情報は、部分画像データごと又は継合せ個所ごとに、前記補正量取得手段による補正量の取得処理が完了したか否かを示す情報をさらに含み、
前記グローバル補正量取得手段は、前記状態情報に基づき、複数の部分画像データ又は複数の継合せ個所の補正量の取得処理が完了したことを確認した後、前記第２の補正量の決定処理を開始する
ことを特徴とする請求項５に記載の画像処理装置。
【請求項７】
前記画像取得手段によって取得される前記複数の部分画像データのなかに、異なる倍率で撮像された画像データが含まれている場合に、
前記画像取得手段は、すべての部分画像データの解像度を揃えるために、前記異なる倍率で撮像された画像データに対し倍率変換処理を行う
ことを特徴とする請求項１〜６のうちいずれか１項に記載の画像処理装置。
【請求項８】
前記状態管理手段は、前記複数の部分画像データの継合せ処理を開始する際に、前記複数の部分画像データの大きさ及び配置に関する情報に基づき、前記複数の部分画像データのあいだの継ぎ合わせの対応関係を決定する
ことを特徴とする請求項１〜７のうちいずれか１項に記載の画像処理装置。
【請求項９】
前記画像取得手段は、被写体を分割撮像して複数の部分画像データを得る撮像装置、もしくは、前記撮像装置により得られた複数の部分画像データを格納する画像サーバー、又は、その両方から、継合せの対象とする複数の部分画像データを取得する
ことを特徴とする請求項１〜８のうちいずれか１項に記載の画像処理装置。
【請求項１０】
被写体を分割撮像して複数の部分画像データを得る撮像装置と、
前記撮像装置から前記複数の部分画像データを取得し、前記複数の部分画像データを継合せて合成画像データを生成する、請求項１〜９のうちいずれか１項に記載の画像処理装置と、を有する
ことを特徴とする撮像システム。
【請求項１１】
前記撮像装置は顕微鏡装置であることを特徴とする請求項１０に記載の撮像システム。
【請求項１２】
複数の部分画像データを継合せて合成画像データを生成する画像処理装置の制御方法であって、
複数の部分画像データを順次取得する画像取得ステップと、
前記複数の部分画像データそれぞれに対する処理の状態を示す状態情報として、前記画像取得ステップによるデータの取得が完了したか否かを示す情報を少なくとも含む状態情報を管理する状態管理ステップと、
部分画像データの継合せ個所ごとに、継ぎ合わせる部分画像データのあいだの局所的なずれを補正するための補正量を取得する補正量取得ステップと、
前記補正量取得ステップによって取得された継合せ個所ごとの補正量に基づき前記複数の部分画像データをそれぞれ補正し、補正後の部分画像データを継合せた合成画像データを生成する画像合成ステップと、を有し、
前記状態情報は、部分画像データごと又は継合せ個所ごとに、前記補正量取得ステップによる補正量の取得処理が完了したか否かを示す情報、又は、前記補正量取得ステップによる補正量の取得処理が実行中であるか否かを示す情報をさらに含み、
前記補正量取得ステップは、前記状態情報に基づき、補正量を取得するのに必要なデータの取得が完了した部分画像データ又は継合せ個所から、補正量の取得処理を開始するよう制御される
ことを特徴とする画像処理装置の制御方法。
【請求項１３】
複数の部分画像データを継合せて合成画像データを生成する画像処理装置の制御方法であって、
複数の部分画像データを順次取得する画像取得ステップと、
前記複数の部分画像データそれぞれに対する処理の状態を示す状態情報として、前記画像取得ステップによるデータの取得が完了したか否かを示す情報を少なくとも含む状態情報を管理する状態管理ステップと、
部分画像データの継合せ個所ごとに、継ぎ合わせる部分画像データのあいだの局所的なずれを補正するための補正量を取得する補正量取得ステップと、
前記補正量取得ステップによって取得された継合せ個所ごとの補正量に基づき前記複数の部分画像データをそれぞれ補正し、補正後の部分画像データを継合せた合成画像データを生成する画像合成ステップと、
前記補正量取得ステップによって取得された複数の継合せ個所の補正量に基づき、前記画像合成ステップにおいて前記複数の部分画像データのそれぞれに対し実際に施す補正処理で用いる第２の補正量を決定するグローバル補正量取得ステップと、を有し、
前記補正量取得ステップは、前記状態情報に基づき、補正量を取得するのに必要なデータの取得が完了した部分画像データ又は継合せ個所から、補正量の取得処理を開始するよう制御される
ことを特徴とする画像処理装置の制御方法。
【手続補正２】
【補正対象書類名】明細書
【補正対象項目名】発明の名称
【補正方法】変更
【補正の内容】
【発明の名称】画像処理装置、及び撮像システム
【手続補正３】
【補正対象書類名】明細書
【補正対象項目名】００１０
【補正方法】変更
【補正の内容】
【００１０】
本発明の第一態様は、複数の部分画像データを継合せて合成画像データを生成する画像処理装置であって、複数の部分画像データを順次取得する画像取得手段と、前記複数の部分画像データそれぞれに対する処理の状態を示す状態情報として、前記画像取得手段によるデータの取得が完了したか否かを示す情報を少なくとも含む状態情報を管理する状態管理手段と、部分画像データの継合せ個所ごとに、継ぎ合わせる部分画像データのあいだの局所的なずれを補正するための補正量を取得する補正量取得手段と、前記補正量取得手段によって取得された継合せ個所ごとの補正量に基づき前記複数の部分画像データをそれぞれ補正し、補正後の部分画像データを継合せた合成画像データを生成する画像合成手段と、を有し、前記状態情報は、部分画像データごと又は継合せ個所ごとに、前記補正量取得手段による補正量の取得処理が完了したか否かを示す情報、又は、前記補正量取得手段による補正量の取得処理が実行中であるか否かを示す情報をさらに含み、前記補正量取得手段は、前記状態情報に基づき、補正量を取得するのに必要なデータの取得が完了した部分画像データ又は継合せ個所から、補正量の取得処理を開始するよう制御されることを特徴とする画像処理装置である。
本発明の第二態様は、複数の部分画像データを継合せて合成画像データを生成する画像処理装置であって、複数の部分画像データを順次取得する画像取得手段と、前記複数の部分画像データそれぞれに対する処理の状態を示す状態情報として、前記画像取得手段によるデータの取得が完了したか否かを示す情報を少なくとも含む状態情報を管理する状態管理手段と、部分画像データの継合せ個所ごとに、継ぎ合わせる部分画像データのあいだの局所的なずれを補正するための補正量を取得する補正量取得手段と、前記補正量取得手段によって取得された継合せ個所ごとの補正量に基づき前記複数の部分画像データをそれぞれ補正し、補正後の部分画像データを継合せた合成画像データを生成する画像合成手段と、前記補正量取得手段によって取得された複数の継合せ個所の補正量に基づき、前記画像合成手段において前記複数の部分画像データのそれぞれに対し実際に施す補正処理で用いる第２の補正量を決定するグローバル補正量取得手段と、を有し、前記補正量取得手段は、前記状態情報に基づき、補正量を取得するのに必要なデータの取得が完了した部分画像データ又は継合せ個所から、補正量の取得処理を開始するよう制御されることを特徴とする画像処理装置である。
【手続補正４】
【補正対象書類名】明細書
【補正対象項目名】００１１
【補正方法】変更
【補正の内容】
【００１１】
本発明の第三態様は、被写体を分割撮像して複数の部分画像データを得る撮像装置と、前記撮像装置から前記複数の部分画像データを取得し、前記複数の部分画像データを継合せて合成画像データを生成する、本発明に係る画像処理装置と、を有することを特徴とする撮像システムである。 
【手続補正５】
【補正対象書類名】明細書
【補正対象項目名】００１２
【補正方法】変更
【補正の内容】
【００１２】
本発明の第四態様は、複数の部分画像データを継合せて合成画像データを生成する画像処理装置の制御方法であって、複数の部分画像データを順次取得する画像取得ステップと、前記複数の部分画像データそれぞれに対する処理の状態を示す状態情報として、前記画像取得ステップによるデータの取得が完了したか否かを示す情報を少なくとも含む状態情報を管理する状態管理ステップと、部分画像データの継合せ個所ごとに、継ぎ合わせる部
分画像データのあいだの局所的なずれを補正するための補正量を取得する補正量取得ステップと、前記補正量取得ステップによって取得された継合せ個所ごとの補正量に基づき前記複数の部分画像データをそれぞれ補正し、補正後の部分画像データを継合せた合成画像データを生成する画像合成ステップと、を有し、前記状態情報は、部分画像データごと又は継合せ個所ごとに、前記補正量取得ステップによる補正量の取得処理が完了したか否かを示す情報、又は、前記補正量取得ステップによる補正量の取得処理が実行中であるか否かを示す情報をさらに含み、前記補正量取得ステップは、前記状態情報に基づき、補正量を取得するのに必要なデータの取得が完了した部分画像データ又は継合せ個所から、補正量の取得処理を開始するよう制御されることを特徴とする画像処理装置の制御方法である。
本発明の第五態様は、複数の部分画像データを継合せて合成画像データを生成する画像処理装置の制御方法であって、複数の部分画像データを順次取得する画像取得ステップと、前記複数の部分画像データそれぞれに対する処理の状態を示す状態情報として、前記画像取得ステップによるデータの取得が完了したか否かを示す情報を少なくとも含む状態情報を管理する状態管理ステップと、部分画像データの継合せ個所ごとに、継ぎ合わせる部分画像データのあいだの局所的なずれを補正するための補正量を取得する補正量取得ステップと、前記補正量取得ステップによって取得された継合せ個所ごとの補正量に基づき前記複数の部分画像データをそれぞれ補正し、補正後の部分画像データを継合せた合成画像データを生成する画像合成ステップと、前記補正量取得ステップによって取得された複数の継合せ個所の補正量に基づき、前記画像合成ステップにおいて前記複数の部分画像データのそれぞれに対し実際に施す補正処理で用いる第２の補正量を決定するグローバル補正量取得ステップと、を有し、前記補正量取得ステップは、前記状態情報に基づき、補正量を取得するのに必要なデータの取得が完了した部分画像データ又は継合せ個所から、補正量の取得処理を開始するよう制御されることを特徴とする画像処理装置の制御方法である。